(57)【要約】【課題】  内部の構造を省スペース化できるテレビジョン装置、電子機器、およびレンズを提供する。【解決手段】  テレビジョン装置は、プリント配線板と、前記プリント配線板上に設けられるとともに、前記プリント配線板と平行な方向に光を照射できる複数の発光ダイオードと、前記複数の発光ダイオードにそれぞれ対応した複数の受光部と、前記複数の受光部から入った前記複数の発光ダイオードからの光を表示した一つの表示部と、を有するとともに、前記各受光部同士の間の位置から前記表示部に向かって延びた切欠部を設けた一つのレンズと、を具備した。【選択図】図６
2012004974.tif 000002
【特許請求の範囲】
【請求項１】
プリント配線板と、
前記プリント配線板上に設けられるとともに、前記プリント配線板と平行な方向に光を照射できる複数の発光ダイオードと、
前記複数の発光ダイオードにそれぞれ対応した複数の受光部と、前記複数の受光部から入った前記複数の発光ダイオードからの光を表示した一つの表示部と、を有するとともに、前記各受光部同士の間の位置から前記表示部に向かって延びた切欠部を設けた一つのレンズと、
を具備したテレビジョン装置。
【請求項２】
前記各発光ダイオードは、前記表示部に向けて前記光を照射するように前記表示部のある方向を向いた請求項１に記載のテレビジョン装置。
【請求項３】
前記切欠部を規定した面は、前記各発光ダイオードと前記表示部とを結んだ線と略平行である請求項２に記載のテレビジョン装置。
【請求項４】
前記切欠部は、略Ｖ字形をなした請求項３に記載のテレビジョン装置。
【請求項５】
前記複数の発光ダイオードは、前記プリント配線板の一方の面に設けられた請求項４に記載のテレビジョン装置。
【請求項６】
前記複数の発光ダイオードは、前記プリント配線板の両方の面に設けられた請求項４に記載のテレビジョン装置。
【請求項７】
複数の発光ダイオードと、
前記複数の発光ダイオードにそれぞれ対応した複数の受光部と、前記複数の受光部から入った前記複数の発光ダイオードからの光を表示した一つの導光部と、を有するとともに、前記各受光部同士の間の位置から前記導光部に向かって延びた切欠部を設けた一つのレンズと、
を具備した電子機器。
【請求項８】
前記各発光ダイオードは、前記導光部に向けて前記光を照射するように前記導光部のある方向を向いた請求項７に記載の電子機器。
【請求項９】
前記切欠部を規定した面は、前記各発光ダイオードと前記導光部とを結んだ線と略平行である請求項８に記載の電子機器。
【請求項１０】
複数の光源にそれぞれ対応した複数の受光部と、前記複数の受光部から入った前記複数の光源からの光を表示した一つの表示部と、を具備し、
前記各受光部同士の間の位置から前記表示部に向かって延びた切欠部を設けたレンズ。
【請求項１１】
前記受光部の法線は、前記表示部に向けて延びた請求項１０に記載のレンズ。
【請求項１２】
前記切欠部は、略Ｖ字形をなした請求項１１に記載のレンズ。
【発明の詳細な説明】
【技術分野】
【０００１】
本発明の実施形態は、発光ダイオードを有したテレビジョン装置、電子機器、およびレンズに関する。
【背景技術】
【０００２】
テレビ等の電子機器において、ＬＥＤ（発光ダイオード）などを用いてレンズ部分を照らすことがしばしば行なわれる。このようなＬＥＤは、例えばレンズに対向して設けられており、レンズに光を照射して、電子機器の状態などを表示することができる。また、近年では、発光色の異なる複数種類のＬＥＤが市場で流通している。
【先行技術文献】
【特許文献】
【０００３】
【特許文献１】特開２００２−１６２５５０号公報
【発明の概要】
【発明が解決しようとする課題】
【０００４】
電子機器の状態をＬＥＤ等で表示することがユーザにとって便利であるが、一方であまりに多くのＬＥＤを配置すると、電子機器の小型化およびケース内部の省スペース化の要請に反することとなり、その塩梅が難しい問題となっている。
【０００５】
本発明は、内部の構造を省スペース化できるテレビジョン装置、電子機器、およびレンズを提供することを目的とする。
【課題を解決するための手段】
【０００６】
実施形態のテレビジョン装置は、プリント配線板と、前記プリント配線板上に設けられるとともに、前記プリント配線板と平行な方向に光を照射できる複数の発光ダイオードと、前記複数の発光ダイオードにそれぞれ対応した複数の受光部と、前記複数の受光部から入った前記複数の発光ダイオードからの光を表示した一つの表示部と、を有するとともに、前記各受光部同士の間の位置から前記表示部に向かって延びた切欠部を設けた一つのレンズと、を具備した。
【図面の簡単な説明】
【０００７】
【図１】第１の実施形態の電子機器の一例であるテレビジョン装置を示した正面図。
【図２】図１に示すテレビジョン装置のプリント配線板の周囲を拡大して示した断面図。
【図３】図２に示すテレビジョン装置のＦ３−Ｆ３線に沿った断面図。
【図４】図３に示すテレビジョン装置のレンズを示した斜視図。
【図５】図２に示すレンズの周囲を拡大して示した平面図。
【図６】図５に示すレンズ中を通る光を示した模式図。
【図７】第２の実施形態の電子機器の一例であるポータブルコンピュータを示した斜視図。
【図８】図７に示すポータブルコンピュータのプリント配線板の周囲を拡大して示した断面図。
【図９】図８に示すポータブルコンピュータのＦ９−Ｆ９線に沿った断面図。
【図１０】第３の実施形態の電子機器の一例であるポータブルコンピュータのレンズの周囲を拡大して示した平面図。
【図１１】第４の実施形態の電子機器の一例であるポータブルコンピュータのレンズの周囲を拡大して示した平面図。
【図１２】図１１に示すポータブルコンピュータの厚み方向に沿った断面図。
【図１３】第５の実施形態の電子機器の一例であるポータブルコンピュータのレンズの周囲を拡大して示した平面図。
【図１４】第６の実施形態の電子機器の一例であるポータブルコンピュータのレンズの周囲を拡大して示した平面図。
【図１５】図１４に示すポータブルコンピュータのＦ１５−Ｆ１５線に沿った断面図。
【発明を実施するための形態】
【０００８】
以下、図１から図６を参照して、電子機器の第１の実施形態について説明する。図１に示すように、本実施形態にかかる電子機器の一例であるテレビジョン装置１１は、長方形の外観を有した薄型の表示装置である。このテレビジョン装置１１は、筐体１２と、筐体１２を支持する脚部１３と、を備えている。図２に示すように、筐体１２には、開口部１４が一対に設けられている。テレビジョン装置１１は、開口部１４にそれぞれ嵌った一対のレンズ１５を有している。
【０００９】
図１、図２に示すように、テレビジョン装置１１は、チューナ基板と、テレビジョン装置１１の各部を統括的に制御するシステム基板１６と、例えば可撓性のあるケーブル等を介してシステム基板１６に電気的に接続されたプリント配線板１７と、平板状のディスプレイ１８と、を筐体１２の内部に備えている。ディスプレイ１８は、例えば、液晶ディスプレイパネルで構成されているが、例えばプラズマディスプレイパネル等、他の種類のディスプレイパネルであってもよい。
【００１０】
図２、３に示すように、テレビジョン装置１１は、ディスプレイ１８の表面を覆った透明な板状のカバー２１と、プリント配線板１７上に設けられた複数の第１の発光ダイオード２２と、第１の発光ダイオード２２の周囲を取り囲んだシェード２３と、第１の発光ダイオード２２とは分離した位置でプリント配線板１７上に設けられた複数の第２の発光ダイオード２４と、を備えている。
【００１１】
プリント配線板１７上には、第１の発光ダイオード２２（光源）および第２の発光ダイオード２４の他に複数の回路部品２５が高密度で実装されている。プリント配線板１７には、レンズ１５の受光部１５Ｂの外形に沿って略三角形に窪んで設けられた窪み部２６と、窪み部２６の周囲を規定している縁部２７と、が設けられている。
【００１２】
複数の第１の発光ダイオード２２は、プリント配線板１７の縁部２７上に並ぶように、プリント配線板１７の一方の面に設けられている。本実施形態において、３個の第１の発光ダイオード２２がプリント配線板１７上に配置されているが、その数は３個に限定されるものではない。図２において、最も上側の位置に配置される１つ目の第１の発光ダイオード２２Ａは、例えば、無線ＬＡＮが作動しているときに例えばオレンジ色の光を照射して、ユーザにこれを報知する。また、図２において、中間の位置に配置される２つ目の第１の発光ダイオード２２Ｂは、例えば、内蔵する光ディスクドライブが作動している際に、例えば緑色の光を照射して、ユーザにこれを報知するために用いられる。図２において、最も下側の位置に配置される３つ目の第１の発光ダイオード２２Ｃは、例えば、内蔵するハードディスクドライブが駆動されるときに、例えば赤色の光を照射して、ユーザにこれを報知するために用いられる。また、１つ目から３つ目の第１の発光ダイオード２２Ａ〜Ｃを同時に点灯させて、テレビジョン装置１１の内部で異常が起こっていることをユーザに報知するようにしてもよい。
【００１３】
図２に示すように、各第１の発光ダイオード２２は、レンズ１５の後述する表示部１５Ｃと受光部１５Ｂとを結んだ直線上に設けられている。各第１の発光ダイオード２２は、レンズ１５の表示部１５Ｃのある方向を向いて表示部１５Ｃに対向するように設けられている。言い換えると、各第１の発光ダイオード２２は、表示部１５Ｃに向けて光を照射するように設けられている。第１の発光ダイオード２２は、プリント配線板１７と平行な方向に光を照射できるいわゆる側面発光タイプの発光ダイオードである。
【００１４】
図２、図３に示すように、シェード２３は、プリント配線板１７上に設けられており、一対のレンズ１５から外れた位置で、第１の発光ダイオード２２の側面および上面を覆っている。シェード２３には、２個の第１の発光ダイオード２２を収容するように窪んだ第１の収容部２３Ａと、１個の第１の発光ダイオード２２を収容するように窪んだ第２の収容部２３Ｂと、が設けられている。シェード２３は、第１の発光ダイオード２２と第２の発光ダイオード２４との間を仕切っており、例えば、第２の発光ダイオード２４から照射される光が、第１の発光ダイオード２２に対向するレンズ１５に照射されないようにしている。
【００１５】
第２の発光ダイオード２４は、プリント配線板１７上で縁部２７から外れた位置、すなわちプリント配線板１７の略中央部に設けられている。本実施形態において、２個の第２の発光ダイオード２４がプリント配線板１７上に配置されているが、その数は２個に限定されるものではない。第２の発光ダイオード２４は、いわゆる上面発光タイプのもので構成されており、プリント配線板１７の延びている方向とは交差（直交）する方向に光を照射することができる。第２の発光ダイオード２４のうち、一方２４Ａは、例えば、カバー２１を透過するように光を照射して、ユーザに対して電源オンの状態を報知することができる。また、第２の発光ダイオード２４のうち、他方２４Ｂは、例えば、カバー２１を透過するように光を照射して例えば、テレビジョン装置１１が省電力モードにあることをユーザに報知することができる。
【００１６】
図２、図４に示すように、各レンズ１５は、錐台形状の本体１５Ａと、本体１５Ａの下底部から第１の発光ダイオード２２（光源）に向けて突出した複数の受光部１５Ｂと、本体１５Ａの上底部にあたる位置に設けられた表示部１５Ｃと、受光部１５Ｂ同士の間の位置に設けられたくさび形の切欠部１５Ｄと、を有している。また、本体１５Ａと表示部１５Ｃとによって、受光部１５Ｂから入った光を表示部１５Ｃの表面にまで導くための導光部１５Ｅが構成されている。本体１５Ａ、受光部１５Ｂ、および表示部１５Ｃは、例えば、アクリル系の樹脂等の透明な材料によって一体に成形されている。本体１５Ａおよび表示部１５Ｃは、筐体１２の開口部１４の内側に嵌っている。
【００１７】
図４、図５等に示すように、レンズ１５は、本体１５Ａの中心軸２８に対して略対称形（左右対称形）をなしている。本実施形態においてレンズ１５には、２個の受光部１５Ｂが設けられている。また、受光部１５Ｂの法線のうち、一つは、図５中に一点鎖線で示した第１の発光ダイオード２２と表示部１５Ｃとを結んだ線と合致している。このように、本実施形態のレンズ１５は、受光部１５Ｂの法線が表示部１５Ｃに向けて延びるように設計されている。
【００１８】
切欠部１５Ｄは、各受光部１５Ｂ同士の間の位置から表示部１５Ｃに向かって延びている。切欠部１５Ｄは、略Ｖ字形の断面形状を有している。図５に示すように、この切欠部１５Ｄを規定した面３１は、各第１の発光ダイオード２２と表示部１５Ｃとを結んだ線と略平行になっている。
【００１９】
図２に示すように、各受光部１５Ｂは、第１の発光ダイオード２２に対応するようにプリント配線板１７の窪み部２６の内側に嵌っている。また、表示部１５Ｃには、受光部１５Ｂから入った第１の発光ダイオード２２からの光が表示される。表示部１５Ｃは、表面粗さが大きくなるように表面処理（シボ加工）が施されており、その表面において光を周囲に拡散することができる。
【００２０】
図６に示すように、例えば、第１の発光ダイオード２２から照射される光のうち、切欠部１５Ｄに向けて照射される光は、本体１５Ａに向けて全反射され、本体１５Ａの側面でさらに反射されるなどして表示部１５Ｃに導かれる。このように、レンズ１５の材質、切欠部１５Ｄを設ける角度、および第１の発光ダイオード２２の設置位置および角度は、切欠部１５Ｄに向けて照射される光が表示部１５Ｃ方向に向けて全反射され、表示部１５Ｃに効率的に表示されるように設計されている。
【００２１】
なお、１つ目の第１の発光ダイオード２２Ａからの光は、図２中で上側に示されたレンズ１５の表示部１５Ｃに表示され、２つ目の第１の発光ダイオード２２Ｂおよび３つ目の第１の発光ダイオード２２Ｃからの光は、図２中で下側に示されたレンズ１５の表示部１５Ｃに表示される。このとき、１つ目の第１の発光ダイオード２２Ａは、２つ目の第１の発光ダイオード２２Ｂおよび３つ目の第１の発光ダイオード２２Ｃと同じようにレンズ１５に対して傾けて配置されるため、１つ目の第１の発光ダイオード２２Ａの光量が適切な範囲に調節される。これによって、１つ目の第１の発光ダイオード２２Ａの見え方が他の２つ目の第１の発光ダイオード２２Ｂや３つ目の第１の発光ダイオード２２Ｃの見え方と同じ程度に調整され、ユーザに違和感を生ずることが防止される。
【００２２】
第１の実施形態によれば、テレビジョン装置１１は、プリント配線板１７と、プリント配線板１７上に設けられるとともに、プリント配線板１７と平行な方向に光を照射できる複数の発光ダイオードと、複数の発光ダイオードにそれぞれ対応した複数の受光部１５Ｂと、複数の受光部１５Ｂから入った複数の発光ダイオードからの光を表示した一つの表示部１５Ｃと、を有するとともに、各受光部１５Ｂ同士の間の位置から表示部１５Ｃに向かって延びた切欠部１５Ｄを設けたレンズ１５と、を具備する。
【００２３】
この構成によれば、一つの受光部１５Ｂから入った光を表示部１５Ｃに導く経路と、他の受光部１５Ｂから入った光を表示部１５Ｃに導く経路と、を切欠部１５Ｄによって仕切ることができる。これによって、複数の発光ダイオードに対応したレンズ１５を一つにする場合であっても、表示部１５Ｃで表示される光が弱くなる事態を生ずることを防止することができる。すなわち、複数の発光ダイオードに対応したレンズ１５を一つにすると、一つの受光部１５Ｂから入った光が他の受光部１５Ｂの方向に反射して、レンズ１５の内部に光がこもって、表示部１５Ｃに光が上がってこなくなることがある。しかしながら、上記構成によれば、受光部１５Ｂ同士の間の位置に切欠部１５Ｄが設けられているため、一つの受光部１５Ｂから入った光の一部が他の受光部１５Ｂの方向のある方向に向かって照射されたとしても、この一部の光を表示部１５Ｃの方向に向けて反射させることができる。これによって、表示部１５Ｃにおいて十分な光量を確保することができる。さらに、上記の構成によれば、レンズ１５の数を削減することができ、テレビジョン装置１１の内部において、レンズ１５が占めるスペースを削減して、テレビジョン装置１１の小型化を図ることができる。
【００２４】
この場合、各発光ダイオードは、表示部１５Ｃに向けて光を照射するように表示部１５Ｃのある方向を向いている。この構成によれば、発光ダイオードから照射される光のうち、正面方向に照射される強い光の大部分を表示部１５Ｃに向けて直接照射することができる。これによって、レンズ１５の内部で反射等を介在させることなく、表示部１５Ｃに直進できる光についてはレンズ１５に直接到達させることができ、表示部１５Ｃにおいて十分な光量を確保することができる。
【００２５】
また、切欠部１５Ｄを規定した面３１は、各発光ダイオードと表示部１５Ｃとを結んだ線と略平行である。この構成によれば、発光ダイオードから切欠部１５Ｄに向けて照射された光のうちのほとんどを表示部１５Ｃに向けて全反射させることができる。これによって、切欠部１５Ｄからレンズ１５外に光が漏れてしまうことを極力防止して、表示部１５Ｃにおいて十分な光量を確保することができる。
【００２６】
さらに、切欠部１５Ｄは、略Ｖ字形をなしている。この構成によれば、切欠部１５Ｄを簡単な形状で実現することができる。
【００２７】
続いて、図７から図９を参照して、電子機器の第２の実施形態について説明する。第２の実施形態の電子機器の一例であるポータブルコンピュータ４１は、外観が第１の実施形態のテレビジョン装置１１とは異なっているが、主要な構成において第１の実施形態と概ね共通している。このため、主として第１の実施形態と異なる部分について説明し、共通する箇所については共通の符号を付して説明を省略する。
【００２８】
また、以下の実施形態では、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００２９】
図７に示すように、ポータブルコンピュータ４１は、同図中の前方向Ｆに位置した第１のユニット４２と、同図中の後方向Ｒに位置した第２のユニット４３と、第１のユニット４２と第２のユニット４３との間に位置するとともに、これらを回転可能に連結したヒンジユニット４４と、を具備している。
【００３０】
第１のユニット４２は、第１のケース４５と、第１のケース４５に取り付けられた第１のタッチパネル４６と、第１のタッチパネル４６の下方で第１のケース４５の内側に設けられた第１のディスプレイ４７と、を有している。第１のディスプレイ４７は、例えば、液晶ディスプレイで構成されており、第１のタッチパネル４６に隣接した位置に設けられている。また、第１のユニット４２は、第１のタッチパネル４６を間に挟んだ両側に一対の操作ボタン４８を有している。
【００３１】
図７、図９に示すように、第２のユニット４３は、第２のケース５１と、第２のケース５１に取り付けられた第２のタッチパネル５２と、第２のタッチパネル５２の下方で第２のケース５１の内側に設けられた第２のディスプレイ５３と、第２のタッチパネル５２に隣接した位置に設けられたパワーボタン５４と、を有している。パワーボタン５４は、第２のケース５１に設けられた貫通孔５５の内側に嵌って設けられている。筐体１２は、第１のケース４５と第２のケース５１とで構成されている。
【００３２】
図７、図９に示すように、第２のケース５１は、第２のタッチパネル５２および第２のディスプレイ５３の前面方向の周囲を取り囲んだマスク５６と、第２のタッチパネル５２および第２のディスプレイ５３の背面方向を取り囲んだカバー５７と、を有している。第２のケース５１のカバー５７には、開口部１４が一対に設けられている。第２のユニット４３は、開口部１４にそれぞれ嵌った一対のレンズ１５を有している。開口部１４およびレンズ１５は、後述するスピーカ５８の近傍に設けられている。
【００３３】
図７から図９に示すように、第２のユニット４３は、ＣＰＵ等が実装されたシステム基板１６と、システム基板１６と可撓性のケーブル等で電気的に接続されたプリント配線板１７と、プリント配線板１７上に設けられた複数の第１の発光ダイオード２２と、第１の発光ダイオード２２の周囲を取り囲んだシェード２３と、第１の発光ダイオード２２とは分離した位置でプリント配線板１７上に設けられた複数の第２の発光ダイオード２４と、プリント配線板１７上に設けられてパワーボタン５４の押下を検出可能なスイッチ６１と、スピーカ５８と、を第２のケース５１の内部に備えている。
【００３４】
図８に示すように、プリント配線板１７上には、第１の発光ダイオード２２（光源）および第２の発光ダイオード２４の他に複数の回路部品２５が高密度で実装されている。プリント配線板１７には、レンズ１５の受光部１５Ｂの外形に沿って略三角形に窪んで設けられた窪み部２６と、切欠部１５Ｄの周囲を規定している縁部２７と、が設けられている。
【００３５】
複数の第１の発光ダイオード２２は、プリント配線板１７の縁部２７上に並ぶように、プリント配線板１７の一方の面に設けられている。本実施形態において、３個の第１の発光ダイオード２２がプリント配線板１７上に配置されているが、その数は３個に限定されるものではない。図８において、最も上側の位置に配置される１つ目の第１の発光ダイオード２２Ａは、例えば、無線ＬＡＮが作動しているときに例えばオレンジ色の光を照射して、ユーザにこれを報知する。また、図８において、中間の位置に配置される２つ目の第１の発光ダイオード２２Ｂは、例えば、内蔵するバッテリに充電している際に例えばオレンジ色の光を照射して、ユーザにこれを報知するために用いられる。図８において、最も下側の位置に配置される３つ目の第１の発光ダイオード２２Ｃは、例えば、内蔵するバッテリの充電が完了している状態（バッテリの電力に残量がある場合）において例えば緑色の光を照射して、ユーザにこれを報知する。
【００３６】
図８に示すように、各第１の発光ダイオード２２は、レンズ１５の後述する表示部１５Ｃと受光部１５Ｂとを結んだ直線上に設けられている。各第１の発光ダイオード２２は、レンズ１５の表示部１５Ｃのある方向を向いて表示部１５Ｃに対向するように設けられている。図９に示すように、第１の発光ダイオード２２は、プリント配線板１７と平行な方向に光を照射できるいわゆる側面発光タイプの発光ダイオードである。
【００３７】
図８、図９に示すように、シェード２３は、一対のレンズ１５から外れた位置で、第１の発光ダイオード２２の側面および上面を覆っている。シェード２３には、２個の第１の発光ダイオード２２を収容するように窪んだ第１の収容部２３Ａと、１個の第１の発光ダイオード２２を収容するように窪んだ第２の収容部２３Ｂと、が設けられている。シェード２３は、第１の発光ダイオード２２と第２の発光ダイオード２４との間を仕切っており、例えば、第２の発光ダイオード２４から照射される光が、第１の発光ダイオード２２に対向するレンズ１５に照射されないようにしている。
【００３８】
図８に示すように、第２の発光ダイオード２４は、プリント配線板１７上で縁部２７から外れた位置、すなわちプリント配線板１７の略中央部に設けられている。図１２に示すように、第２の発光ダイオード２４は、いわゆる上面発光タイプのもので構成されており、プリント配線板１７の延びている方向とは交差（直交）する方向に光を照射することができる。
【００３９】
図９に示すように、第２の発光ダイオード２４のうち、一方は、パワーボタン５４を透過するように光を照射して、ユーザに対してポータブルコンピュータ４１が電源オンの状態を報知することができる。また、第２の発光ダイオード２４のうち、他方は、パワーボタン５４を透過するように光を照射して例えば、ポータブルコンピュータ４１が例えばサスペンド（スリープ）状態にあることをユーザに報知することができる。図９に示すように、パワーボタン５４の表面には表面粗さが大きくなるように表面処理がなされており、第２の発光ダイオード２４からの光を周囲に拡散することができる。
【００４０】
本実施形態のレンズ１５は、図４に示す第１の実施形態のレンズ１５と同形態である。切欠部１５Ｄは、略Ｖ字形の断面形状を有している。図５に示すように、この切欠部１５Ｄを規定した面３１は、各第１の発光ダイオード２２と表示部１５Ｃとを結んだ線と略平行になっている。
【００４１】
第２の実施形態によれば、ポータブルコンピュータ４１は、複数の発光ダイオードと、複数の発光ダイオードにそれぞれ対応した複数の受光部１５Ｂと、複数の受光部１５Ｂから入った複数の発光ダイオードからの光を表示した一つの表示部１５Ｃと、を有するとともに、各受光部１５Ｂ同士の間の位置から表示部１５Ｃに向かって延びた切欠部１５Ｄを設けた一つのレンズ１５と、を具備する。
【００４２】
この構成によれば、受光部１５Ｂ同士の間の位置に切欠部１５Ｄが設けられているため、一つの受光部１５Ｂから入った光の一部が他の受光部１５Ｂの方向のある方向に向かって照射されたとしても、この一部の光を表示部１５Ｃの方向に向けて反射させることができる。これによって、表示部１５Ｃにおいて十分な光量を確保することができる。また、レンズ１５の数を削減することができ、ポータブルコンピュータ４１の内部において、レンズ１５が占めるスペースを低減して、ポータブルコンピュータ４１の小型化を図ることができる。
【００４３】
続いて、図１０を参照して、電子機器の第３の実施形態について説明する。第３の実施形態の電子機器の一例であるポータブルコンピュータ４１は、第１の発光ダイオード２２の数、およびレンズ１５の形状が第２の実施形態のポータブルコンピュータ４１とは異なっているが、他の部分は第２の実施形態と概ね共通している。このため、主として第２の実施形態と異なる部分について説明し、共通する箇所については共通の符号を付して説明を省略する。
【００４４】
図１０に示すように、プリント配線板１７上には、例えば、３つの第１の発光ダイオード２２が設けられている。各第１の発光ダイオード２２は、レンズ１５の後述する表示部１５Ｃと受光部１５Ｂとを結んだ直線上に設けられている。各第１の発光ダイオード２２は、レンズ１５の表示部１５Ｃのある方向を向いて表示部１５Ｃに対向するように設けられている。
【００４５】
図１０において、最も上側の位置に配置される１つ目の第１の発光ダイオード２２Ａは、例えば、内蔵するバッテリに充電している際に、例えばオレンジ色の光を照射して、ユーザにこれを報知する。また、図１１において、中間の位置に配置される２つ目の第１の発光ダイオード２２Ｂは、例えば、内蔵するバッテリの充電が完了している状態で、例えば緑色の光を照射して、ユーザにこれを報知するために用いられる。図１１において、最も下側の位置に配置される３つ目の第１の発光ダイオード２２Ｃは、例えば、バッテリの電力の残量が少なくなった場合（例えば、１／３あるいは１／４以下）において、一定間隔で点滅するように例えば赤色の光を照射して、ユーザにこれを報知する。
【００４６】
図１０に示すように、各レンズ１５は、錐台形状の本体１５Ａと、本体１５Ａの下底部から第１の発光ダイオード２２に向けて突出した複数の受光部１５Ｂと、本体１５Ａの上底部にあたる位置に設けられた一つの表示部１５Ｃと、受光部１５Ｂ同士の間の位置に設けられたくさび形の切欠部１５Ｄと、を有している。
【００４７】
また、本実施形態のレンズ１５では、３つの第１の発光ダイオード２２に対応して、３つの受光部１５Ｂが設けられている。また、本実施形態のレンズ１５では、２つの切欠部１５Ｄが設けられている。本体１５Ａ、受光部１５Ｂ、および表示部１５Ｃは、例えば、アクリル系の樹脂等の透明な材料によって一体に成形されている。本体１５Ａは、筐体１２の開口部１４の内側に嵌っている。
【００４８】
レンズ１５は、本体１５Ａの中心軸２８に対して略対称形（左右対称形）をなしている。図１０に示すように、各受光部１５Ｂは、第１の発光ダイオード２２に対応するようにプリント配線板１７の窪み部２６の内側に嵌っている。また、表示部１５Ｃには、受光部１５Ｂから入った第１の発光ダイオード２２からの光が表示される。
【００４９】
本実施形態では、例えば、第１の発光ダイオード２２から照射される光のうち、切欠部１５Ｄに向けて照射される光は、本体１５Ａに向けて全反射され、本体１５Ａの側面でさらに反射されるなどして表示部１５Ｃに導かれる。このように、レンズ１５の材質、切欠部１５Ｄの角度、および第１の発光ダイオード２２の設置位置および角度は、切欠部１５Ｄに向けて照射される光が表示部１５Ｃ方向に向けて全反射され、表示部１５Ｃに効率的に表示されるように設計されている。
【００５０】
第３の実施形態によれば、第１の発光ダイオード２２、受光部１５Ｂが３個ずつ設けられ、切欠部１５Ｄが２個設けられる場合であっても、表示部１５Ｃにおいて十分な光量を確保するとともに、レンズ１５の数を削減して、ポータブルコンピュータ４１を小型化できる。また、本実施形態によれば、ポータブルコンピュータ４１の状態を上記のように３段階で表示する必要がある場合などに、特に有用である。
【００５１】
続いて、図１１、図１２を参照して、電子機器の第４の実施形態について説明する。第４の実施形態の電子機器の一例であるポータブルコンピュータ４１は、第１の発光ダイオード２２の数、およびレンズ１５の形状が第２の実施形態のポータブルコンピュータ４１とは異なっているが、他の部分は第２の実施形態と概ね共通している。このため、主として第２の実施形態と異なる部分について説明し、共通する箇所については共通の符号を付して説明を省略する。
【００５２】
図１１、図１２に示すように、プリント配線板１７の各面には、例えば、第１の発光ダイオード２２が２個ずつ設けられている。このため、本実施形態では、合計４個の第１の発光ダイオード２２が設けられている。プリント配線板１７の一方の面に設けられた２つの第１の発光ダイオード２２は、レンズ１５の後述する表示部１５Ｃと受光部１５Ｂとを結んだ直線上に設けられている。この２つの第１の発光ダイオード２２は、表示部１５Ｃのほうに向いて表示部１５Ｃに対向するように設けられている。同様に、プリント配線板１７の他方の面に設けられた２つの第１の発光ダイオード２２についても、レンズ１５の後述する表示部１５Ｃと受光部１５Ｂとを結んだ直線上に設けられ、表示部１５Ｃに対向するように設けられている。
【００５３】
４個の第１の発光ダイオード２２のうち、プリント配線板１７の一方の面に設けられた１つ目の第１の発光ダイオード２２Ａは、例えば、内蔵するバッテリに充電している際に、例えばオレンジ色の光を照射して、ユーザにこれを報知する。また、プリント配線板１７の一方の面に設けられた２つ目の第１の発光ダイオード２２Ｂは、例えば、内蔵するバッテリの充電が完了している状態で、例えば緑色の光を照射して、ユーザにこれを報知するために用いられる。プリント配線板１７の他方の面に設けられた３つ目の第１の発光ダイオード２２Ｃは、例えば、バッテリの電力の残量が少なくなった場合（例えば、１／３あるいは１／４以下）において、一定間隔で点滅するように例えば赤色の光を照射して、ユーザにこれを報知する。プリント配線板１７の他方の面に設けられた４つ目の第１の発光ダイオード２２Ｄは、例えば、赤色の連続した光を照射して、例えば、家庭用の交流電源にポータブルコンピュータ４１が接続された際に、ユーザにこれを報知する。なお、本実施形態では、１つ目の第１の発光ダイオード２２Ａと４つ目の第１の発光ダイオード２２Ｄとが同時に点灯することがある。
【００５４】
図１１、図１２に示すように、各レンズ１５は、錐台形状の本体１５Ａと、本体１５Ａの下底部から第１の発光ダイオード２２に向けて突出した複数の受光部１５Ｂと、本体１５Ａの上底部にあたる位置に設けられた一つの表示部１５Ｃと、受光部１５Ｂ同士の間の位置に設けられたくさび形の切欠部１５Ｄと、を有している。
【００５５】
また、本実施形態のレンズ１５では、４つの第１の発光ダイオード２２に対応して、合計４つの受光部１５Ｂが設けられている。また、本実施形態のレンズ１５では、切欠部１５Ｄが略十字形に設けられており、各受光部１５Ｂの間の位置に切欠部１５Ｄが位置している。本体１５Ａ、受光部１５Ｂ、および表示部１５Ｃは、例えば、アクリル系の樹脂等の透明な材料によって一体に成形されている。
【００５６】
レンズ１５は、本体１５Ａの中心軸に対して略対称形（左右対称形）をなしている。例えば、第１の発光ダイオード２２から照射される光のうち、切欠部１５Ｄに向けて照射される光は、本体１５Ａに向けて全反射され、本体１５Ａの側面でさらに反射されるなどして表示部１５Ｃに導かれる。このように、レンズ１５の材質、切欠部１５Ｄの角度、および第１の発光ダイオード２２の設置位置および角度は、切欠部１５Ｄに向けて照射される光が表示部１５Ｃ方向に向けて全反射され、表示部１５Ｃに効率的に表示されるように設計されている。
【００５７】
第４の実施形態によれば、第１の発光ダイオード２２の数が４つで、レンズ１５に受光部１５Ｂが４つ設けられる場合であっても、表示部１５Ｃにおいて十分な光量を確保しつつ、レンズ１５の数が増加することを防止できる。また、第１の発光ダイオード２２がプリント配線板１７の両面に設けられているため、ポータブルコンピュータ４１の筐体１２の内部におけるスペースの使用効率を向上することができ、第１の発光ダイオード２２の数が多くなった場合でも、ポータブルコンピュータ４１の筐体１２が大型化してしまうことを防止できる。また、本実施形態によれば、ポータブルコンピュータ４１の状態を上記のように４段階で表示する必要がある場合などに、特に有用である。
【００５８】
続いて、図１３を参照して、電子機器の第５の実施形態について説明する。第５の実施形態の電子機器の一例であるポータブルコンピュータ４１は、第１の発光ダイオード２２の設置角度、およびレンズ１５の形状が第２の実施形態のポータブルコンピュータ４１とは異なっているが、他の部分は第２の実施形態と概ね共通している。このため、主として第２の実施形態と異なる部分について説明し、共通する箇所については共通の符号を付して説明を省略する。
【００５９】
図１３に示すように、プリント配線板１７上には、例えば、２つの第１の発光ダイオード２２が設けられている。各第１の発光ダイオード２２は、レンズ１５のほうを向いて、互いに平行に設けられている。各第１の発光ダイオード２２は、レンズ１５の受光部１５Ｂに対向するように設けられている。第１の発光ダイオード２２は、プリント配線板１７と平行な方向に光を照射できるいわゆる側面発光タイプの発光ダイオードである。
【００６０】
各レンズ１５は、錐台形状の本体１５Ａと、本体１５Ａの下底部から第１の発光ダイオード２２に向けて突出した複数の受光部１５Ｂと、本体１５Ａの上底部にあたる位置に設けられた表示部１５Ｃと、受光部１５Ｂ同士の間の位置に設けられた方形の切欠部１５Ｄと、を有している。本体１５Ａ、受光部１５Ｂ、および表示部１５Ｃは、例えば、アクリル系の樹脂等の透明な材料によって一体に成形されている。本体１５Ａは、筐体１２の開口部１４の内側に嵌っている。
【００６１】
図１３に示すように、レンズ１５は、本体１５Ａの中心軸に対して略対称形（左右対称形）をなしている。本実施形態においてレンズ１５には、２個の受光部１５Ｂが設けられている。表示部１５Ｃには、受光部１５Ｂから入った第１の発光ダイオード２２からの光が表示される。表示部１５Ｃは、表面粗さが大きくなるように表面処理（シボ加工）が施されており、その表面において光を周囲に拡散することができる。
【００６２】
第５の実施形態によれば、第１の発光ダイオード２２から照射された光のうち、一部が表示部１５Ｃに向けて直接照射されることになるため、表示部１５Ｃにおいて十分な光を外部に向けて表示することができる。また、切欠部１５Ｄによって、一つの受光部１５Ｂからの光が他方の受光部１５Ｂのほうに向かうことが防止されるため、表示部１５Ｃにおいて一定の光量を確保することができる。なお、本実施形態では、上記した各実施形態よりも照明の効率において劣っているが、この形態でもポータブルコンピュータ４１の状態をユーザに報知する目的で使用するのに十分な光量が確保される。
【００６３】
続いて、図１４、図１５を参照して、電子機器の第６の実施形態について説明する。第６の実施形態の電子機器の一例であるポータブルコンピュータ４１は、第１の発光ダイオード２２の種類および設置角度、およびレンズ１５の形状が第２の実施形態のポータブルコンピュータ４１とは異なっているが、他の部分は第２の実施形態と概ね共通している。このため、主として第２の実施形態と異なる部分について説明し、共通する箇所については共通の符号を付して説明を省略する。
【００６４】
図１４に示すように、プリント配線板１７上には、例えば、２つの第１の発光ダイオード２２が設けられている。各第１の発光ダイオード２２は、プリント配線板１７の端部に沿って互いに平行に設けられている。各第１の発光ダイオード２２は、レンズ１５の受光部１５Ｂに対向するように設けられている。第１の発光ダイオード２２は、上記各実施形態とは異なり、プリント配線板１７と交差（直交）する方向に光を照射できるいわゆる上面発光タイプの発光ダイオードである。
【００６５】
各レンズ１５は、本体１５Ａと、本体１５Ａの下底部から第１の発光ダイオード２２に向けて突出した複数の受光部１５Ｂと、本体１５Ａの上底部にあたる位置に設けられた表示部１５Ｃと、受光部１５Ｂ同士の間の位置に設けられた方形の切欠部１５Ｄと、を有している。本体１５Ａ、受光部１５Ｂ、および表示部１５Ｃは、例えば、アクリル系の樹脂等の透明な材料によって一体に成形されている。本体１５Ａおよび表示部１５Ｃは、筐体１２の開口部１４の内側に嵌っている。
【００６６】
図１４に示すように、レンズ１５は、本体１５Ａの中心軸に対して略対称形（左右対称形）をなしている。本実施形態においてレンズ１５には、２個の受光部１５Ｂが設けられている。表示部１５Ｃには、受光部１５Ｂから入った第１の発光ダイオード２２からの光が表示される。表示部１５Ｃは、表面粗さが大きくなるように表面処理（シボ加工）が施されており、その表面において光を周囲に拡散できる。
【００６７】
第６の実施形態によれば、上記した各実施形態よりも照明の効率において劣るものの、切欠部１５Ｄによって、第１の発光ダイオード２２からの光を表示部１５Ｃに向けて導くことができる。このため、この形態でもポータブルコンピュータ４１の状態をユーザに報知する目的で使用する分には十分な光量が確保される。
【００６８】
電子機器は、上記実施形態に示したテレビジョン装置１１、ポータブルコンピュータ４１に限らず、例えば携帯電話機のようなその他の電子機器に対しても当然に実施可能である。
【００６９】
また、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００７０】
１１…テレビジョン装置、１５…レンズ、１５Ｂ…受光部、１５Ｃ…表示部、１５Ｄ…切欠部、１７…プリント配線板、２２…第１の発光ダイオード、３１…切欠部１５Ｄを規定した面、４１…ポータブルコンピュータ
【図１】
2012004974.tif 000003
【図２】
2012004974.tif 000004
【図３】
2012004974.tif 000005
【図４】
2012004974.tif 000006
【図５】
2012004974.tif 000007
【図６】
2012004974.tif 000008
【図７】
2012004974.tif 000009
【図８】
2012004974.tif 000010
【図９】
2012004974.tif 000011
【図１０】
2012004974.tif 000012
【図１１】
2012004974.tif 000013
【図１２】
2012004974.tif 000014
【図１３】
2012004974.tif 000015
【図１４】
2012004974.tif 000016
【図１５】
2012004974.tif 000017
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
開口部が設けられた筐体と、
前記筐体に収容され、窪み部と、該窪み部近傍に位置した複数の光源とが設けられたプリント配線板と、
前記窪み部に少なくとも一部が位置され、複数の光源に其々対応した複数の受光面を含み、前記複数の受光面の間に切欠部が設けられ、前記開口部に光を通すレンズと、
を具備した電子機器。
【請求項２】
前記各光源は、前記開口部に向けて前記光を照射するように前記開口部のある方向を其々向いた請求項１に記載の電子機器。
【請求項３】
前記切欠部を規定した面は、前記各光源と前記開口部とを結んだ線と略平行である請求項１に記載の電子機器。
【請求項４】
前記切欠部は、略Ｖ字形をなした請求項１に記載の電子機器。
【請求項５】
前記光源は、前記プリント配線板の一方の面に設けられた請求項１に記載の電子機器。
【請求項６】
前記光源は、前記プリント配線板の両方の面に設けられた請求項１に記載の電子機器。
【請求項７】
筐体と、
前記筐体に収容され、窪み部と、該窪み部近傍に位置した光源とが設けられたプリント配線板と、
前記窪み部に少なくとも一部が位置されたレンズと、
を具備した電子機器。
【請求項８】
前記レンズの前記窪み部に面した面には、前記光源からの光の方向を変化させる切欠部が設けられた請求項７に記載の電子機器。
【請求項９】
前記切欠部は、前記プリント配線板の厚み方向に延びた請求項８に記載の電子機器。
【請求項１０】
前記切欠部は、前記レンズのうち、前記窪み部に最も深く入った部分に設けられた請求項８に記載の電子機器。
【手続補正３】
【補正対象書類名】明細書
【補正対象項目名】００６９
【補正方法】変更
【補正の内容】
【００６９】
また、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願の出願当初の特許請求の範囲に記載された発明を付記する。
［１］
プリント配線板と、
前記プリント配線板上に設けられるとともに、前記プリント配線板と平行な方向に光を照射できる複数の発光ダイオードと、
前記複数の発光ダイオードにそれぞれ対応した複数の受光部と、前記複数の受光部から入った前記複数の発光ダイオードからの光を表示した一つの表示部と、を有するとともに、前記各受光部同士の間の位置から前記表示部に向かって延びた切欠部を設けた一つのレンズと、
を具備したテレビジョン装置。
［２］
前記各発光ダイオードは、前記表示部に向けて前記光を照射するように前記表示部のある方向を向いた［１］に記載のテレビジョン装置。
［３］
前記切欠部を規定した面は、前記各発光ダイオードと前記表示部とを結んだ線と略平行である［２］に記載のテレビジョン装置。
［４］
前記切欠部は、略Ｖ字形をなした［３］に記載のテレビジョン装置。
［５］
前記複数の発光ダイオードは、前記プリント配線板の一方の面に設けられた［４］に記載のテレビジョン装置。
［６］
前記複数の発光ダイオードは、前記プリント配線板の両方の面に設けられた［４］に記載のテレビジョン装置。
［７］
複数の発光ダイオードと、
前記複数の発光ダイオードにそれぞれ対応した複数の受光部と、前記複数の受光部から入った前記複数の発光ダイオードからの光を表示した一つの導光部と、を有するとともに、前記各受光部同士の間の位置から前記導光部に向かって延びた切欠部を設けた一つのレンズと、
を具備した電子機器。
［８］
前記各発光ダイオードは、前記導光部に向けて前記光を照射するように前記導光部のある方向を向いた［７］に記載の電子機器。
［９］
前記切欠部を規定した面は、前記各発光ダイオードと前記導光部とを結んだ線と略平行である［８］に記載の電子機器。
［１０］
複数の光源にそれぞれ対応した複数の受光部と、前記複数の受光部から入った前記複数の光源からの光を表示した一つの表示部と、を具備し、
前記各受光部同士の間の位置から前記表示部に向かって延びた切欠部を設けたレンズ。
［１１］
前記受光部の法線は、前記表示部に向けて延びた［１０］に記載のレンズ。
［１２］
前記切欠部は、略Ｖ字形をなした［１１］に記載のレンズ。